(57)【要約】      （修正有）【課題】導電性に優れ、安価な撚り線導体を提供する。【解決手段】素線１１の表面にめっき１２を有する複数本のめっき線１３が同心撚りされてなる同心撚り線１０で構成され、前記同心撚り線の最外層を構成する前記めっき線が前記素線の表面に銀めっきを有し、前記同心撚り線の前記最外層よりも内側の層を構成する前記めっき線が前記素線の表面に錫めっきを有する、撚り線導体。【選択図】図１
2019160668.tif 000002
【特許請求の範囲】
【請求項１】
素線の表面にめっきを有する複数本のめっき線が同心撚りされてなる同心撚り線で構成され、前記同心撚り線の最外層を構成する前記めっき線が前記素線の表面に銀めっきを有し、前記同心撚り線の前記最外層よりも内側の層を構成する前記めっき線が前記素線の表面に錫めっきを有する、撚り線導体。
【請求項２】
前記内側の層は、撚り線で構成される請求項１に記載の撚り線導体。
【請求項３】
撚り線導体と、前記撚り線導体の周囲に絶縁被覆を有し、
前記撚り線導体は、素線の表面にめっきを有する複数本のめっき線が同心撚りされてなる同心撚り線で構成され、前記同心撚り線の最外層を構成する前記めっき線が前記素線の表面に銀めっきを有し、前記同心撚り線の前記最外層よりも内側の層を構成する前記めっき線が前記素線の表面に錫めっきを有する、電線。
【発明の詳細な説明】
【技術分野】
【０００１】
本発明は、撚り線導体に関するものである。
【背景技術】
【０００２】
電線やケーブルでは、銅からなる素線を撚り合わせた撚り線導体が使用されている。例えば、特許文献１では、可動部に配線されるケーブルに使用される導体として、銅からなる各素線の全ての外周に銀めっきを有する撚り線導体を使用することが開示されている。そして、特許文献１では、このような銀めっきを有する各素線を撚り合わせた撚り線導体を使用することにより、錫めっきを有する各素線を撚り合わせた撚り線導体に比べて高い導電性が得られるとされている。
【先行技術文献】
【特許文献】
【０００３】
【特許文献１】特開２００２−３５２６３９号公報
【発明の概要】
【発明が解決しようとする課題】
【０００４】
電子機器、音響、あるいは航空機に使用される電線やケーブルでは、高い導電性を有することが望まれる。そのため、電線やケーブルを構成する導体には、タフピッチ銅や無酸素銅からなる素線の表面に銀めっきを有する複数本の銀めっき線を撚り合わせた撚り線導体が使用されることがある。しかし、このような撚り線導体は、錫めっきを有する各素線を撚り合わせた撚り線導体に比べて高い導電性を有する（導体抵抗が小さい）導体であるものの、コストも高くなってしまう。
【０００５】
したがって、本発明は、上記の点に鑑みてなされたものであり、その目的は、導電性に優れ、安価な撚り線導体を提供することにある。
【課題を解決するための手段】
【０００６】
本発明の一態様は、上記目的を達成するために、下記の撚り線導体を提供する。
【０００７】
［１］素線の表面にめっきを有する複数本のめっき線が同心撚りされてなる同心撚り線で構成され、前記同心撚り線の最外層を構成する前記めっき線が前記素線の表面に銀めっきを有し、前記同心撚り線の前記最外層よりも内側の層を構成する前記めっき線が前記素線の表面に錫めっきを有する、撚り線導体。
［２］前記内側の層は、撚り線で構成される上記［１］に記載の撚り線導体。
［３］撚り線導体と、前記撚り線導体の周囲に絶縁被覆を有し、前記撚り線導体は、素線の表面にめっきを有する複数本のめっき線が同心撚りされてなる同心撚り線で構成され、前記同心撚り線の最外層を構成する前記めっき線が前記素線の表面に銀めっきを有し、前記同心撚り線の前記最外層よりも内側の層を構成する前記めっき線が前記素線の表面に錫めっきを有する、電線。
【発明の効果】
【０００８】
本発明によれば、導電性に優れ、安価な撚り線導体を提供することができる。
【図面の簡単な説明】
【０００９】
【図１】（ａ）は、本実施の形態に係る撚り線導体の一例を示す概略横断面図であり、（ｂ）は、本実施の形態に係る撚り線導体を構成するめっき線の概略横断面図である。
【図２】本実施の形態に係る電線の一例を示す概略横断面図である。
【発明を実施するための形態】
【００１０】
〔撚り線導体〕
まず、本実施の形態に係る撚り線導体について説明する。図１（ａ）は、本実施の形態に係る撚り線導体の一例を示す概略横断面図であり、図１（ｂ）は、本実施の形態に係る撚り線導体を構成するめっき線の概略横断面図である。
【００１１】
本実施の形態に係る撚り線導体１０は、図１（ａ）〜（ｂ）に示すように、素線１１の表面にめっき１２を有する複数本のめっき線１３が同心撚りされてなる同心撚り線で構成され、同心撚り線の最外層を構成するめっき線１３ａが素線１１の表面に銀めっきを有し、同心撚り線の最外層よりも内側の層（以下、内層ともいう）を構成するめっき線１３ｂが素線１１の表面に錫めっきを有するものである。
【００１２】
撚り線導体１０を構成する同心撚り線は、撚りピッチが層心径の２０倍以下であることが好ましい。このとき、最外層を構成するめっき線１３ａの撚りピッチは、層心径の２０倍以下であり、内層を構成するめっき線１３ｂの撚りピッチは、最外層を構成するめっき線１３ａの撚りピッチ以下であることが好ましい。
【００１３】
また、撚り線導体１０を構成する同心撚り線は、内層を構成するめっき線１３ｂと最外層を構成するめっき線１３ａとの撚り方向が同じであっても異なっていてもよい。
【００１４】
撚り線導体１０において、内層を構成するめっき線１３ｂと最外層を構成するめっき線１３ａとが同一の撚りピッチである場合は、撚り方向が異なる場合であっても一括で撚り合わせて同心撚り線が製造される。一方、内層を構成するめっき線１３ｂと最外層を構成するめっき線１３ａとを同一の撚り方向で異なる撚りピッチの場合は、内層を構成するめっき線１３ｂと最外層を構成するめっき線１３ａとを別々の撚り線工程（すなわち、内層のめっき線１３ｂを撚る工程と内層上に異なる撚り方向で最外層を構成するめっき線１３ｂを撚る工程）で同心撚り線を製造する。このとき、内層は、複数本のめっき線１３ｂを同心撚りしてなる撚り線で構成されていてもよい。
【００１５】
撚り線導体１０において、素線１１は、タフピッチ銅、無酸素銅などの純銅からなる銅線で構成される。また、めっき線１３（１３ａ、１３ｂ）は、例えば０．０１ｍｍ〜０．４０ｍｍの外径を有する。さらに、撚り線導体１０の外径は、例えば、０．２ｍｍ〜４．０ｍｍ程度である。なお、撚り線導体１０は、めっき線１３ａ、１３ｂの各々が軽圧縮されていてもよい。
【００１６】
同心撚り線を構成する内層は、例えば、めっき線１３ｂが１本〜３０本程度で構成される。同心撚り線は、例えば図１に示すように、内層が７本のめっき線１３ｂで構成される場合、当該内層を構成するめっき線１３ｂの周囲に１２本のめっき線１３ａからなる最外層が配置される。このとき、内層のめっき線１３ｂと最外層のめっき線１３ａとの撚りピッチが同じであれば、内層を構成するめっき線１３ｂ（錫めっき線）と最外層を構成するめっき線１３ａ（銀めっき線）とを一括して撚り合わせることにより、同心撚り線が製造される。一方、内層のめっき線１３ｂと最外層のめっき線１３ａとの撚りピッチが異なる場合であれば、内層を構成する７本のめっき線１３ｂ（錫めっき線）を所定の撚りピッチで撚り合わせて撚り線としたあと、当該撚り線と最外層を構成する１２本のめっき線１３ｂ（銀めっき線）とを一括して撚り合わせることにより、同心撚り線が製造される。
【００１７】
なお、図１では、内層を構成する撚り線として、７本のめっき線１３ｂを撚り合わせてなる例で説明したが、これに限定されるものではなく、例えば、３本、４本、７本、１４本、１９本、２６本、または３０本の本数からなるめっき線１３を同心撚りすることにより、撚り線を構成することができる。また、最外層を構成するめっき線１３ａの本数は、内層を構成するめっき線１３ｂの本数に応じて、例えば６本〜２０本などの本数から適宜選択することができる。
【００１８】
〔電線〕
図２は、本実施の形態に係る電線の一例を示す概略横断面図である。
【００１９】
本実施の形態に係る電線２０は、撚り線導体１０と、撚り線導体１０の外周に設けられ、撚り線導体１０を被覆する絶縁被覆１４と、を有する。撚り線導体１０は、図１に示す上述した同心撚り線が適用される。絶縁被覆１４は、撚り線導体１０の外周に絶縁性を有する樹脂を押出被覆することによって形成される。
【００２０】
〔実施の形態の効果〕
本実施の形態によれば、各素線１１の全ての外周に銀めっきを有するめっき線を適用するのではなく、最外層を構成する素線１１のみに銀めっきを有するめっき線１３ｂを適用することにより、各素線１１の全ての外周に錫めっきを有するめっき線を撚り合わせた撚り線導体に比べて高い導電性を有することができ（導体抵抗を小さくすることができ）、かつ各素線１１の全ての外周に銀めっきを有するめっき線を撚り合わせた撚り線導体に比べて安価な撚り線導体１０を提供することができる。
【実施例】
【００２１】
（実施例１）
実施例１では、図１に示す撚り線導体を製造した。具体的には、横断面が円形状の純銅からなる素線の表面に錫めっきを有し、外径が０．０８ｍｍのめっき線（錫めっき線）を７本準備し、さらに、横断面が円形状の純銅からなる素線の表面に銀めっきを有し、外径が０．０８ｍｍのめっき線（銀めっき線）を１２本準備した。これらの錫めっき線および銀めっき線を、同心撚りで一括して撚り合わせすることにより、内層が７本の錫めっき線からなる同心撚り線の外周に最外層が１２本の銀めっき線が同心撚りで配置された外径が０．４ｍｍの同心撚り線を製造し、これを撚り線導体とした。なお、同心撚り線を同心撚りで撚り合わせするときの撚りピッチは、層心径の２０倍以下とした。
【００２２】
（比較例１）
比較例１では、実施例１の銀めっき線を錫めっき線に変更した以外は、実施例１と同じ方法によって撚り線導体を製造した。具体的には、横断面が円形状の純銅からなる素線の表面に錫めっきを有し、外径が０．０８ｍｍのめっき線（錫めっき線）を１９本準備した。これらの錫めっき線を同心撚りで一括して撚り合わせすることにより、内層が７本の錫めっき線からなる同心撚り線の外周に最外層が１２本の錫めっき線が同心撚りで配置された外径が０．４ｍｍの同心撚り線を製造し、これを撚り線導体とした。なお、同心撚り線を同心撚りで撚り合わせするときの撚りピッチは、層心径の２０倍以下とした。
【００２３】
（導電性の評価）
導電性の評価は、実施例１と比較例１の撚り線導体における導体抵抗で評価した。実施例１の導体抵抗は、１８３．６Ω／ｋｍであり、比較例１の導体抵抗は、１８６．９Ω／ｋｍであった。
【００２４】
以上、本発明の実施の形態及び実施例を説明したが、本発明は、上記実施の形態及び実施例に限定されず、発明の主旨を逸脱しない範囲内において種々変形実施が可能である。
【００２５】
また、上記に記載した実施の形態及び実施例は特許請求の範囲に係る発明を限定するものではない。また、実施の形態及び実施例の中で説明した特徴の組合せの全てが発明の課題を解決するための手段に必須であるとは限らない点に留意すべきである。
【符号の説明】
【００２６】
１０  撚り線導体（同心撚り線）
１１  素線
１２  めっき
１３  めっき線
１４  絶縁被覆
２０  電線
【図１】
2019160668.tif 000003
【図２】
2019160668.tif 000004